(57)【要約】【解決手段】不透水性を有するシート基材からなる遮水シートであって、当該遮水シートが少なくともその一部に、前記シート基材を折り曲げることにより形成された折曲成型部であって、かつ当該遮水シートが張設される対象物の形状の少なくとも一部に近似乃至一致した形状を有する折曲成型部を具備することを特徴とする遮水シート、及び、不透水性を有するシート基材からなる遮水シートであって、前記シート基材の片面又は両面に、当該遮水シートが張設される対象物の形状の少なくとも一部に近似乃至一致させて前記シート基材を折り曲げ加工するための、折り曲げ箇所を示す案内表示部を設けたことを特徴とする遮水シート。【効果】本発明の遮水シート及び遮水シートの施工方法を用いることにより、作業者の技量に左右されず、遮水性を充分に担保した遮水シートの施工を行うことが可能となる。【選択図】  図１
2005029422.tif 000002
【特許請求の範囲】
【請求項１】
不透水性を有するシート基材からなる遮水シートであって、当該遮水シートが少なくともその一部に、前記シート基材を折り曲げることにより形成された折曲成型部であって、かつ当該遮水シートが張設される対象物の形状の少なくとも一部に近似乃至一致した形状を有する折曲成型部を具備することを特徴とする遮水シート。
【請求項２】
前記折曲成型部の少なくとも一部のシート基材同士及び／または前記折曲成型部のシート基材の少なくとも一部と前記折曲成型部以外のシート基材とを熱溶着又は接着剤により接合して、この折曲成型部における折曲形状を固定した請求項１記載の遮水シート。
【請求項３】
前記シート基材がポリオレフィン、又はポリオレフィンと不織布とを積層した積層体のいずれかである請求項１又は２記載の遮水シート。
【請求項４】
家畜し尿の堆肥化用掘削穴に対する配設用である請求項１乃至３のいずれか１項記載の遮水シート。
【請求項５】
前記遮水シートの縁部に前記遮水シートを吊すための引掛け部を少なくとも１箇所以上設けた請求項１乃至４のいずれか１項記載の遮水シート。
【請求項６】
不透水性を有するシート基材からなる遮水シートであって、前記シート基材の片面又は両面に、当該遮水シートが張設される対象物の形状の少なくとも一部に近似乃至一致させて前記シート基材を折り曲げ加工するための、折り曲げ箇所を示す案内表示部を設けたことを特徴とする遮水シート。
【請求項７】
不透水性を有するシート基材の片面又は両面に折り曲げ箇所を示す案内表示部を設けた遮水シートに、該案内表示部に従って前記シート基材を折り曲げることにより、当該遮水シートが張設される対象物の形状の少なくとも一部に近似乃至一致した形状を有する折曲成型部を設け、この折曲成型部を対象物に張設することを特徴とする遮水シートの施工方法。
【請求項８】
前記折曲成型部の少なくとも一部のシート基材同士及び／または前記折曲成型部のシート基材の少なくとも一部と前記折曲成型部以外のシート基材とを熱溶着又は接着剤により接合して、この折曲成型部における折曲形状を固定する請求項７記載の遮水シートの施工方法。
【請求項９】
前記対象物の形状の少なくとも一部に近似乃至一致した形状に折曲成型部が設けられた遮水シートを少なくとも一つ含む複数の遮水シートを、接合しつつ対象物に張設する請求項７又は８記載の遮水シートの施工方法。
【発明の詳細な説明】
【０００１】
【発明の属する技術分野】
本発明は、特に家畜し尿の堆肥化施設における、し尿の下敷きとして好適に使用可能な遮水シート、及び、当該遮水シートを遮水性を損なうことなく容易に施工することを可能とする、遮水シートの施工方法に関する。
【０００２】
【従来の技術】
近年、牛、豚、鶏等に代表される家畜からの廃棄物（し尿）を適正に管理することが、畜産業界に強く要請されている。
従来、この種の廃棄物は単に野積み、もしくは素掘り埋めがなされ、自然発酵乃至風化に任されることが多かったが、悪臭や水質汚濁等の原因となる場合があり、「家畜排せつ物の管理の適正化及び利用の促進に関する法律」の平成１１年施行に伴い、上記野積みや素掘り埋め等は禁止されることとなった。
【０００３】
この「家畜排せつ物の管理の適正化及び利用の促進に関する法律」に則った家畜排せつ物の処理方法としては、例えば遮水シートを敷設した土床又はコンクリート床等の上に家畜排せつ物を堆積し、更にその上部を「特殊なシート」で被覆して、排せつ物の臭気の拡散を防止しつつ、排せつ物の発酵を促進して堆肥化する方法がある。このような「特殊なシート」としては、排せつ物からの水分の蒸発や、排せつ物の発酵に伴う発生ガスの拡散を妨げず、しかも、外部からの雨水等の浸入を防ぐことが可能なシートが用いられる（例えば、特許文献１：登録実用新案第３０７０６５８号公報参照）。
【０００４】
また、近年の家畜飼養規模拡大に伴う上記廃棄物量の増大、及び、臭気の拡散を更に抑制したいという要請に応えるべく、地中に掘削穴を形成し、掘削穴の底面及び側壁面に遮水加工を施した後、開口部に上記特殊シートを被覆した堆肥化施設が提案されている。ここで、底面及び側壁面に遮水加工を施すために底面に捨てコンクリートを打ち、鉄筋を組んでコンクリートを流し込み、更に側壁内部にも鉄筋を組んで型枠を立て込み、コンクリートを流し込んで擁壁を作製したのでは、掘削開始から堆肥化施設完成までには相当な時間と費用が発生することとなるため、通常は底面及び側面に遮水シートを張設して堆肥化施設とすることが多い（例えば、非特許文献１：根釧農試研究部  酪農施設科，草地環境科  畜試技術体系化チーム、“簡易ふん尿堆積場の造成法”［ｏｎｌｉｎｅ］、平成１４年１月作成、北海道農政部・北海道立農業試験場、［平成１４年１１月２２日検索］、インターネット＜ＵＲＬ：ｈｔｔｐ：／／ｗｗｗ．ａｇｒｉ．ｐｒｅｆ．ｈｏｋｋａｉｄｏ．ｊｐ／ｃｅｎｔｅｒ／ｋｅｎｋｙｕｓｅｉｋａ／ｇａｏｙｏｓｈｏ／ｈ１４ｇａｉｙｏ／２００２２２７．ｈｔｍｌ＞参照）。ここで用いられる遮水シートには、完全な遮水性と耐久性が要求される。
【０００５】
更に、上記のような遮水シートを用いて堆肥化施設を造成する場合に土壌を汚染しないためには、当該遮水シートが掘削穴の内壁面に隙間なく張設され、遮水性が充分に担保される必要がある。
通常、このような堆肥化施設用掘削穴の開口部の大きさは数メートル四方〜数十メートル四方に亘ることが多い一方、遮水シートは長尺巻きのロール原反で供給される。従って、遮水シートはロール原反の状態で堆肥化施設の設置現場に運搬され、該ロール原反から切り出された複数の帯状遮水シートの側部をそれぞれ重ね合わせて掘削穴の形状に即して現場で熱溶着する等の加工を施すことにより、遮水シートが掘削穴の内壁面に隙間なく張設されることとなるが、このような張り合わせ技術には高度な熟練が必要とされていた。特に、隅底部の内壁面に隙間なく張設することは難しく、掘削穴の深さがより深くなればなる程、より高度な熟練が必要とされ、従来、掘削穴の深さを一定以上に深くすることは極めて困難であった。
【０００６】
【特許文献１】
登録実用新案第３０７０６５８号公報
【非特許文献１】
根釧農試研究部  酪農施設科，草地環境科  畜試  技術体系化チーム、“簡易ふん尿堆積場の造成法”［ｏｎｌｉｎｅ］、平成１４年１月作成、北海道農政部・北海道立農業試験場、［平成１４年１１月２２日検索］、インターネット＜ＵＲＬ：ｈｔｔｐ：／／ｗｗｗ．ａｇｒｉ．ｐｒｅｆ．ｈｏｋｋａｉｄｏ．ｊｐ／ｃｅｎｔｅｒ／ｋｅｎｋｙｕｓｅｉｋａ／ｇａｏｙｏｓｈｏ／ｈ１４ｇａｉｙｏ／２００２２２７．ｈｔｍｌ＞
【０００７】
【発明が解決しようとする課題】
本発明は上記事情に鑑みなされたもので、特に家畜し尿の堆肥化施設における、し尿の下敷きとして好適に使用可能な遮水シート、及び、当該遮水シートを遮水性を損なうことなく容易に施工することを可能とする、遮水シートの施工方法を提供することを目的とする。
【０００８】
【課題を解決するための手段】
本発明者は、上記目的を達成するため鋭意検討の結果、不透水性を有するシート基材からなる遮水シートの少なくとも一部に、当該遮水シートが張設される対象物の形状の少なくとも一部に近似乃至一致した形状を有する折曲成型部を形成すること、或いは、不透水性を有するシート基材の片面又は両面に、当該遮水シートが張設される対象物の形状の少なくとも一部に近似乃至一致させて前記シート基材を折り曲げ加工するための、折り曲げ箇所を示す案内表示部を設けることにより、該シートを対象物に張設する際の作業性が向上するのみならず、特に、掘削穴の隅底部の内壁に遮水シートを張設する時のように、熟練者の高度な技量を必要とするような場合であっても、対象物への施工が容易な遮水シートとなり得ることを見出した。また、対象物の形状の少なくとも一部に近似乃至一致した形状に折り曲げることにより、切断箇所を少なくすることができ、作業者が熟練者ではない場合であっても遮水性を担保し、失敗なく遮水シートの対象物への張設を行うことが可能となり、特に、水分の漏洩について厳しく取り締まりを受けるし尿の堆肥化施設を設置する際等に好適な遮水シート、及び遮水シートの施工方法となり得ることを知見し、本発明をなすに至った。
【０００９】
即ち、本発明は、下記の遮水シート及び遮水シートの施工方法を提供するものである。
請求項１：
不透水性を有するシート基材からなる遮水シートであって、当該遮水シートが少なくともその一部に、前記シート基材を折り曲げることにより形成された折曲成型部であって、かつ当該遮水シートが張設される対象物の形状の少なくとも一部に近似乃至一致した形状を有する折曲成型部を具備することを特徴とする遮水シート。
請求項２：
前記折曲成型部の少なくとも一部のシート基材同士及び／または前記折曲成型部のシート基材の少なくとも一部と前記折曲成型部以外のシート基材とを熱溶着又は接着剤により接合して、この折曲成型部における折曲形状を固定した請求項１記載の遮水シート。
請求項３：
前記シート基材がポリオレフィン、又はポリオレフィンと不織布とを積層した積層体のいずれかである請求項１又は２記載の遮水シート。
請求項４：
家畜し尿の堆肥化用掘削穴に対する配設用である請求項１乃至３のいずれか１項記載の遮水シート。
請求項５：
前記遮水シートの縁部に前記遮水シートを吊すための引掛け部を少なくとも１箇所以上設けた請求項１乃至４のいずれか１項記載の遮水シート。
請求項６：
不透水性を有するシート基材からなる遮水シートであって、前記シート基材の片面又は両面に、当該遮水シートが張設される対象物の形状の少なくとも一部に近似乃至一致させて前記シート基材を折り曲げ加工するための、折り曲げ箇所を示す案内表示部を設けたことを特徴とする遮水シート。
請求項７：
不透水性を有するシート基材の片面又は両面に折り曲げ箇所を示す案内表示部を設けた遮水シートに、該案内表示部に従って前記シート基材を折り曲げることにより、当該遮水シートが張設される対象物の形状の少なくとも一部に近似乃至一致した形状を有する折曲成型部を設け、この折曲成型部を対象物に張設することを特徴とする遮水シートの施工方法。
請求項８：
前記折曲成型部の少なくとも一部のシート基材同士及び／または前記折曲成型部のシート基材の少なくとも一部と前記折曲成型部以外のシート基材とを熱溶着又は接着剤により接合して、この折曲成型部における折曲形状を固定する請求項７記載の遮水シートの施工方法。
請求項９：
前記対象物の形状の少なくとも一部に近似乃至一致した形状に折曲成型部が設けられた遮水シートを少なくとも一つ含む複数の遮水シートを、接合しつつ対象物に張設する請求項７又は８記載の遮水シートの施工方法。
【００１０】
以下、本発明につき更に詳しく説明する。
本発明の遮水シートは、（Ｉ）不透水性を有するシート基材からなる遮水シートであって、当該遮水シートが少なくともその一部に、前記シート基材を折り曲げることにより形成された折曲成型部であって、かつ当該遮水シートが張設される対象物の形状の少なくとも一部に近似乃至一致した形状を有する折曲成型部を具備することを特徴とする遮水シート、及び、（ＩＩ）不透水性を有するシート基材からなる遮水シートであって、前記シート基材の片面又は両面に、当該遮水シートが張設される対象物の形状の少なくとも一部に近似乃至一致させて前記シート基材を折り曲げ加工するための、折り曲げ箇所を示す案内表示部を設けたことを特徴とする遮水シートである。
【００１１】
ここで、上記（Ｉ）の遮水シートは、不透水性を有するシート基材上に、折り曲げのための案内表示部の無い状態から前記折曲成型部を作製したものであっても良いし、当該不透水性を有するシート基材上に、当該遮水シートが張設される対象物の形状の少なくとも一部に近似乃至一致させて前記シート基材を折り曲げ加工するための、折り曲げ箇所を示す案内表示部が設けられた状態から前記折曲成型部を作製したものであっても良い。
また、前記折曲成型部を有する遮水シートに、更に、当該遮水シートが張設される対象物の形状の少なくとも一部に近似乃至一致させてシート基材を折り曲げ加工するための、折り曲げ箇所を示す案内表示部を設けることも可能である。
【００１２】
従来、家畜し尿の堆肥化用掘削穴の底面及び内壁面、特に、その隅底部に従来の遮水性シートを張設する際には、特に掘削穴の深さが深くなるほど作業者の技量が大きく関わることとなるため、シートを適切に掘削穴に張設することが困難となる場合があり、内容物の水漏れを起こすことのない安定した遮水シートの張設作業を作業者に常に要求することは難しかった。
本発明の遮水シートには、上記家畜し尿の堆肥化用の掘削穴のような対象物の形状に即した折り曲げ成型部及び／又は（折曲用）案内表示部が設けられているため、シートが張設される対象物が比較的大型のものであっても、作業者の技量に左右されずに安定して遮水シートを張設することが可能となる。即ち、張設された遮水シートは、再現性よく完全な遮水性が担保されたものとなり得る。
【００１３】
また、本発明の遮水シートの施工方法は、上記遮水シートを用い、特に、張設される対象物のコーナー部分（隅底部）の形状を含むように予め折曲成型部を作製しておくことにより、折曲成型部の対象物への位置合わせをより確実なものとし、施工される対象物が比較的大型の家畜し尿の堆肥化用掘削穴である場合であっても、遮水シートの張設を、従来の遮水性シートを用いた場合に比べて大幅に容易化すると共に、コーナー部分の切断部分を少なくできるので遮水性が飛躍的に向上したものである。このような折曲成型部は施工の困難な箇所のみに設けることも可能であるが、対象物の形状の全体に即した折曲成型部を予め作製した場合には、施工現場における遮水シートに関する接合作業が一切不要となり、折曲成型部の設置作業のみ行えばよいこととなるため、より好適である。
【００１４】
上記遮水シートが張設される対象物の形状の少なくとも一部に近似乃至一致させてシート基材を折り曲げ加工するための、折り曲げ箇所を示す案内表示部としては、折り目を設ける箇所を明示又は暗示するものであれば特に限定されず、記号、言葉、折目線等として表示することができる。折目線の表示としても、折り曲げ箇所を示す案内となり得るような表示であれば特に制限はなく、上記折り曲げ箇所の全体に亘り実線で折目線を表示してもよいし、その一部を破線で表示してもよい。折り曲げ箇所を示す案内となり得る限り、折り曲げ箇所の一部のみに折目線を表示することも可能である。
更に、上記遮水シートには、必要に応じ折り曲げ箇所を示す折目線以外にも、遮水シートの中心線に相当する罫書き線や、対角線に相当する罫書き線等を、適宜表示することも可能である。また、遮水性への影響が小さい箇所を切断するための切り込み用線を表示することもできる。
このような折目線、罫書き線等を表示する際の手法としても特に限定はなく、チョークやマーカーペン等により適宜行うことができる。シート基材の物理的強度が高い場合は、溝などで表示しても良い。作業時の天候に左右されない観点からは、雨等にぬれた際にも消えにくい方法を採用することが好適である。
【００１５】
本発明の遮水シートには、対象物への施工をより容易にする観点から、遮水シートの縁部にハトメ部や鉤状の引掛け部等を設けることも好適である。このようなハトメ部や鉤状の引掛け部等を設けることにより、遮水シート或いは対象物の形状に即して折り曲げ加工されて形成された遮水シートの折曲成型部を、対象物に張設する際の移動及び位置決めが容易となる。また、足場などを組む際にはこれに容易に取り付けることが可能となり、施工の補助とすることができる。
このようなハトメ部又は鉤状の引掛け部等の設置個数や設置位置に特に制限はないが、設置個数としては少なくとも１箇所以上であることが好ましく、遮水シート、或いは遮水シート折曲成型部の吊り上げ時のバランス等の観点から、四周にそれぞれ１個以上とすることがより好ましい。
また、このようなハトメ部又は鉤状の引掛け部等の形状や大きさについても特に制限はなく、例えば５０ｍｍφのパイプやワイヤーロープなどを通じることができるような形状や大きさとすることが好適である。
なお、ハトメ部を設置する際には、内容物の水分漏洩を引き起こすおそれのない設置位置とすることが好適である。また、鉤状の引掛け部は、予めこれを固着しておく代わりに、現場で固着することもできる。更に、対象物に対して遮水シートの幅や長さに余裕がある場合は、シート基材の一部を筒状に折り曲げてロープやパイプを通して引掛け部としても良い。
【００１６】
本発明の遮水シートに用いられる、不透水性を有するシートの材質としては特に制限はなく、廃棄物処分場の遮水施工に従来より使用されている遮水性シートと同様のものを使用することができるが、例えば、ポリエチレン、ポリプロピレン、エチレン−酢酸ビニル共重合体等のポリオレフィン、ポリ塩化ビニルなどが挙げられ、軽量性の観点からポリオレフィンが好ましく、中でも、柔軟性、耐久性、安全性、及び施工性の観点から、ポリエチレン、エチレン−酢酸ビニル共重合体が好適である。
このようなシートの厚みとしても特に限定されるものではないが、通常０．６ｍｍ以上、好ましくは０．８ｍｍ以上、上限として通常２．０ｍｍ以下、好ましくは１．５ｍｍ以下である。シート厚みが０．６ｍｍ未満であると、施工時に穴が開く危険性が増し、さらに長期耐久性が得られない場合があり、一方２．０ｍｍを超えると、折り曲げることが難しくなり、端部処理など施工が困難になる場合がある。
【００１７】
更に、該不透水性を有するシートの層構成としても特に制限はなく、単層構成或いは２層以上の多層構成のいずれも採用することができる。遮水シートに要求される不透水性の程度、内容物に対する強度、耐久性、及び施工時の作業性の観点から、ポリエチレン又はエチレン−酢酸ビニル共重合体などのポリオレフィンシートの単層構成、又は、これらにポリプロピレンなどによる不織布を積層した積層体とすることが好適である。掘削穴の内壁面或いは底部をコンクリートで被覆しない場合など、地中の岩石等の凹凸（不陸）が本発明の遮水シートに直接接触する場合には、本発明の遮水シートを不織布が積層された多層構成とすることにより、不織布の緩衝機能によって遮水シートの破損を防止し、充分な遮水性を担保し得るため好適である。
なお、多層構成とする際の各層の接着方法としては特に限定されるものではなく、熱溶着や接着剤による接着等、公知の方法を用いることができる。
【００１８】
本発明の遮水シートの施工方法は、上記の遮水シートを用い、遮水シートが張設される対象物の形状の少なくとも一部に近似乃至一致した形状を有する折曲成型部を成形し、当該折曲成型部を前記対象物に張設することを特徴とする遮水シートの施工方法である。前記折曲成型部は、遮水シート上に案内表示部が設けられている場合には、予め該案内表示部に即して遮水シートを折り曲げ加工することにより形成することも可能である。
【００１９】
本発明の遮水シートは上記（Ｉ）の遮水シート、及び上記（ＩＩ）の遮水シートであるが、当該遮水シートを折り曲げ加工することにより成形して得た折曲成型部は、対象物の全体の形状に対応するものであっても良いし、一部のみの形状に対応するものであってもよい。即ち、例えば対象物が掘削穴である場合、その内壁面の角部形状、及び底面と内壁面との境界部の形状に即して遮水シートを折り曲げる際に、特に作業の高度な技量を必要とする場合があるため、これらの箇所についてのみ本発明の遮水シート及び遮水シートの施工方法を用いた場合であっても、作業者に高度な技量を要求せずに安定した遮水シートの張設作業を実現するという本発明の目的は達成し得ることとなる。
【００２０】
上記遮水シートの折り曲げによって生じる、遮水シートの重なり部分については、折り曲げたままであっても本発明の目的の達成には差し支えないが、遮水シート折曲成型部の強度保持の観点、及び、遮水シート折曲成型部を容易に掘削穴等の対象物に設置する観点から、上記遮水シートの折曲成型部における重なったシート基材同士及び／又はこのシート基材と他の部分のシート基材とは、接合されて固定されていることが好適である。このような接合に用いられる方法としては特に限定されるものではないが、不要な穴を開けることなく、遮水性をより充分に担保する観点から、熱溶着又は接着剤による接合であることが好ましい。
【００２１】
本発明の遮水シート及び遮水シートの施工方法が適用される対象物の大きさや形状に特に制限はないが、対象物が比較的大型のものである場合に、従来の遮水シートを用いる場合に比べて本発明を用いた場合の効果が、より顕著に発揮されることとなる。
例えば、対象物が掘削穴である場合、本発明が適用される掘削穴の深さとしては通常１ｍ以上、好ましくは５ｍ以上、上限として通常８ｍ以下、好ましくは６ｍ以下である。掘削穴の深さが１ｍ未満である場合、本発明の遮水シート及び遮水シートの施工方法を用いずに従来の遮水シートを掘削穴底面及び側壁面に張設する場合と比較して、作業容易性の向上効果がほとんど感じられない場合があり、一方、８ｍを超えると、本発明の遮水シート及び遮水シートの施工方法を用いた場合であっても遮水シートの張設がなお困難な場合がある。
【００２２】
また、このような掘削穴の開口部の形状や大きさにも特に制限はないが、開口部の形状としては四角形状等の多角形状（正多角形状を含む）であることが好ましい。開口部の形状が多角形状以外であると、折り曲げ部が複雑な形状となるので、掘削穴に対してうまく設置できない場合がある。また、そのような開口部の大きさに特に制限はないが、通常は当該多角形状の平面視面積として４〜１００ｍ２であることが多い。
なお、上記開口部の平面視面積が比較的小さい場合には、遮水シートが張設される掘削穴の形状の全体に近似乃至一致する形状に上記折曲成型部を形成して遮水シートを施工する方法が好適に用いられ、一方、当該開口部の平面視面積が比較的大きい場合には、前記掘削穴の形状の一部に近似乃至一致する形状に折曲成型部が形成された遮水シートを少なくとも一つ含む複数の遮水シートを接合しつつ、掘削穴に張設する施工方法が好適に用いられる。複数の遮水シートを接合しつつ掘削穴に張設する際には、自走式溶着機を用いて接合することが好適に行われる。
【００２３】
前記対象物が掘削穴である場合、その側壁の形状としても特に制限はなく、垂直な壁面であってもよく、斜面であってもよいが、遮水シートの長期安定性の観点からは斜面であることが好適である。なお、掘削穴の側壁形状が斜面となっている場合、当該掘削穴の形状の全体に即して上記遮水シートを用いて成形される遮水シートの形状はトレー状となる。
また、側壁の形状は階段状であってもよい。側壁が階段状となっている場合には、階段毎に上記のような遮水シートの折曲成型部を作製し、順次、階段毎に遮水シートを張設することが可能である。
【００２４】
本発明の遮水シートは、通常一定幅で一定長さに巻き取られた不透水性を有するシートの原反ロールからシートを巻き出し、適宜切断して帯状シートとし、複数の当該帯状シートの側端を各々相互に一定幅で重ね合わせて熱溶着や接着剤等により接合することによって、まず不透水性を有するシート接合体を作製し、更に、このシート接合体を折り曲げることにより折曲成型部を設けるか、又は、該シート接合体上に必要な案内表示部となる折目線を表示することにより作製される。
当該遮水シートは、対象物の全体に対して折曲成型部を作製する場合には対象物の大きさや形状に対して、また、対象物の一部について折曲成型部を作製する場合にはその部分の大きさや形状に対して、充分な大きさを有する必要があるため、これら対象物の大きさを鑑みて上記不透水性を有するシートの接合枚数や接合幅等が適宜設定される。
【００２５】
本発明の遮水シート及び遮水シートの施工方法は、家畜し尿の堆肥化施設の設置の際など、内容物からの水分の漏洩を完全に防止することが要求される用途に特に好適であるが、その他、貯水タンクや人工池を設置する際等にも好ましく適用可能である。
【００２６】
【発明の実施の形態及び実施例】
以下、本発明の実施例につき、図面を参照して説明する。
図１には、本発明の一実施例に係る遮水シート１が示され、図２には、当該遮水シートが張設される対象物としての掘削穴２の概略断面図と平面図、及び、当該掘削穴に張設されるべく予め折り曲げ加工された遮水シート折曲成型部１０の概略断面図が示されている。
【００２７】
遮水シート１は、全体として四角形状（図１では正方形状）に形成されており、その外周縁部より若干内方に位置して外側四角指示線１１が表示、形成されていると共に、その内方に内側四角指示線１２が表示、形成されている。そして、内側四角指示線１２の各隅部と外側四角指示線１１の各隅部とをそれぞれ結んで対角折目線１３が表示、形成されていると共に、内側四角指示線１２の各隅部より上記外側四角指示線１１に向けて、上記対角折目線１３の左右にそれぞれ対角折目線１３と所用の角度α（０°＜α≦４５°、好ましくは５°≦α≦４５°、更に好ましくは２５°≦α≦４０°）をもって偏位折目線１４が表示、形成されている。なお、図１の例では、角度α＝３７．９°であり、通常掘削穴２の側面に傾斜して形成されるので、その傾斜角度に相応するように角度α（この場合、α＜４５°）を決定することが好適である。
【００２８】
更に、上記各偏位折目線１４よりシート１の外周縁部まで延長されて切り込み用線１５がそれぞれ表示、形成されている。なお、図１では、切り込み用線１５は他の線と区別するため太線で表示されているが、これに限られるものではない。
【００２９】
ここで、上記遮水シートの大きさ、指示線、折目線、切り込み用線の長さは適宜選定されるが、図１の例では、遮水シート１は、一辺が約１４ｍの正方形に形成され、外側四角指示線１１は一辺が約１１ｍの正方形、内側四角指示線１２は一辺が約３ｍの正方形として表示、形成され、また、外側四角指示線１１の各辺における切り込み用線１５先端間の距離は４ｍであるように表示、形成されている。
【００３０】
上記遮水シート１を掘削穴２に張設するに際しては、上記各切り込み用線１５に沿って切り目を形成し、外側四角指示線１１の各辺において切り目間を山折りして鍔状切片１６をそれぞれ形成する一方、内側四角指示線１２に沿って各辺をそれぞれ谷折りすると共に、各対角折目線１３を山折り（又は谷折り）し、かつその左右の偏位折目線１４をそれぞれ谷折り（又は山折り）して、各側面が傾斜し、上端が開放する四角箱状の遮水シート折曲成型部１０を成形するもので、この遮水シート折曲成型部１０が掘削穴２内に挿入されるものである。この場合、上記鍔状切片１６は、掘削穴２が形成された地面上に延出される。また、上記各対角折目線１３及び偏位折目線１４を折曲することにより形成された各隅部の舌状片（折曲成型部）は、対角折目線１３と左右の偏位折目線１４それぞれとの間に存する三角状片相互やこれら三角状片の一方と遮水シート折曲成型部１０の側面とを接着剤や熱溶着等の手段で接合してもよく、或いは接合せずにそのまま放置しておいてもよい。なお、図１の例において、その遮水折曲成型部の大きさは、底面が３×３ｍ、上面が４×４ｍ、高さが４ｍの側面傾斜四角箱状の寸法を有する。
【００３１】
ここで、遮水シート１の遮水シート折曲成型部１０への組み立ては、予め工場等で、或いは現場で組み立てを行い、これを掘削穴２に挿入してもよく、また掘削穴２内で組み立てを行ってもよい。
【００３２】
上記のように遮水シート乃至遮水シート折曲成型部を掘削穴２に適用する場合、掘削穴２内に図３に示すような足場２１を予め形成しておくことができる。この場合、足場２１は、単管パイプ等を用いて形成でき、縦杆部２２及び横杆部２３を備えるが、上述した鍔状切片１６を足場２１の上部にある横杆部２３に巻き付けることができる。この際、図１に示したように、遮水シート１の鍔状切片形成部１６ａにハトメ１７を形成しておき（必要により該ハトメ１７に対応して外側四角指示線１１の内側にもハトメを形成しておき）、これらハトメに紐を通して上記横杆部２３に固定することができる。更に上記切り込み用線１５を予め切断し、鍔状切片１６を鉤状に湾曲させて引掛け部を形成しておき、これを上記横杆部２３に引掛けるようにしてもよい。
【００３３】
なお、このように掘削穴に予め足場を形成する代わりに、まず足場に上記のようにして遮水シート折曲成型部を取り付けた後、クレーン等を用いて足場と遮水シート折曲成型部とを一体として掘削穴内に挿入することもできる。
【００３４】
また、このように遮水シート折曲成型部１０を足場２１に仮置きする際、遮水シート折曲成型部１０の底部に、その底部形状に一致した板状の補強板を設置することにより、仮置き時の遮水シート折曲成型部１０の形状がより安定する。
このような足場２１に設置された遮水シート折曲成型部１０をクレーン等でバランスよく吊り上げることにより、遮水シート折曲成型部１０の形状が、掘削穴２の底面及び内壁面の形状とほぼ一致した状態のまま、遮水シート折曲成型部１０を掘削穴２に設置することができ、しかも、その位置決めも容易なものとなる。
【００３５】
なお、遮水シート１の形成は特に制限されるものではないが、遮水シートが大型であることから、例えば図４，５に示す方法を好適に採用し得る。即ち、図４は、一定幅、一定長で巻き取られた不透水性を有するシートの原反ロール３の概略斜視図、及び、該原反ロール３から巻き出され適宜切断されて作製された、長さ４ａ、幅４ｂを有する帯状シート４の概略平面図を示している。このような帯状シート４を、図５に示すように一定幅４ｃで重ね合わせ、熱溶着や接着剤等により接合することにより、不透水性を有するシートの接合体５を作製することができる。
このような不透水性を有するシートの接合体５の片面又は両面に、折り曲げ箇所を示す上記のような対角折目線、偏位折目線、更には外内の四角指示線や切り込み用線等の表示部を設けることにより、上記遮水シート１を作製することができる。
【００３６】
上述の実施例は、対象物の全体の形状に即した遮水シート折曲成型部が形成可能な遮水シートを示したものであるが、本発明の遮水シートは、対象物の一部の形状（特に、対象物のコーナー部の形状）に即した遮水シート折曲成型部を形成可能な遮水シートとして作製しても良い。
【００３７】
図６には、本発明の他の実施例に係る遮水シート１’が示されている。遮水シート１’は、上述した正方形状の遮水シート１をその中心位置から各辺に対して直角方向に切断して４等分したものよりも若干大きな遮水シートであって、上記遮水シート１を４等分した大きさに比べて、隣接する他の遮水シートとの接合に要する接合幅の分だけ大きな遮水シートである。
遮水シート１’は、全体として四角形状（図６では正方形状）に形成されており、その外周縁部のうち一の角部Ａを挟む２辺より若干内方に位置して２本の外側四角指示線の一部１１’，１１’が表示、形成されていると共に、そのさらに内方に内側四角指示線の一部１２’，１２’が表示、形成されている。そして、内側四角指示線の一部１２’，１２’の交点と外側四角指示線の一部１１’，１１’の交点とをそれぞれ結んで対角折目線１３’が表示、形成されていると共に、内側四角指示線の一部１２’，１２’の交点より上記外側四角指示線の一部１１’，１１’に向けて、上記対角折目線１３’の左右にそれぞれ対角折目線１３’と所用の角度α’（０°＜α’≦４５°、好ましくは５°≦α’≦４５°、更に好ましくは２５°≦α’≦４０°）をもって偏位折目線１４’，１４’が表示、形成されている。なお、図６の例では、角度α’＝３７．９°であり、上述した通常掘削穴２の側面に傾斜して形成されるので、その傾斜角度に相応するように角度α’（この場合、α’＜４５°）を決定することが好適である。
【００３８】
更に、上記各偏位折目線１４’，１４’より遮水シート１’の外周縁部まで延長されて切り込み用線１５’，１５’がそれぞれ表示、形成されている。なお、図６では、切り込み用線１５’，１５’は他の線と区別するため太線で表示されているが、これに限られるものではない。
ここで、上記遮水シート１’の大きさ、指示線、折目線、切り込み用線の長さは適宜選定されるが、図６の例では、遮水シート１’を４枚用い、所定の幅で各々の遮水シート１’を重ね合わせて接合することにより、上述した遮水シート１を作製することが可能なように表示、形成されている。
【００３９】
この遮水シート１’は、これを４枚接合することにより上記遮水シート１を作製可能なものであるが、この遮水シート１’を用いて対象物に遮水シートを張設する方法としては特に限定されるものではなく、例えば、予め遮水シート１’の４枚を接合して遮水シート１を作製した後に対象物に張設する方法や、このように遮水シート１を作成後に上記の遮水シート折曲成型部１０を形成して対象物に設置する方法、また、４枚の遮水シート１’を対象物の一部に、対象物形状に即してそれぞれを張設した後、張設した４枚の遮水シート１’をそれぞれ接合する方法、さらに、遮水シート１’から予め対象物の形状の一部に即した部分折曲成型部を形成し、この部分折曲成型部を対象物の一部分に、対象物形状に即してそれぞれ設置した後に、その設置した４つの部分折曲成型部をそれぞれ接合する方法等が挙げられる。
【００４０】
なお、上記遮水シート１’は遮水シート１をほぼ４等分した正方形状の遮水シートとして作製したものであるが、上記遮水シート１の分割方法としてはこれに限られるものではなく、その分割する際の中心位置や分割個数にも特に制限はない。つまり、遮水シートを２分割、６分割、９分割、１６分割等して適宜遮水シートを作製することも可能である。
この場合、分割後の遮水シートの形状をそれぞれ相違させて作製することも可能である。即ち、例えば、まず遮水シートの中心位置を含む帯状シートを分割した後、残りの部分を適宜に分割（例えば３分割など）してもよい。上記遮水シート１’は正方形状の遮水シートとして図６に示されているが、遮水シートの形状はこれに限られるものではなく、３角形状、４角形状（長方形を含む）、５角形状、６角形状の多角形状（正多角形状を含む）や、円形状、楕円形状等の形状のいずれも採用可能である。
【００４１】
【発明の効果】
本発明の遮水シートは、対象物の形状に即した折り曲げ成型部及び／又は（折曲用）案内表示部が設けられている遮水シートであり、特に堆肥化施設の施工等の分野に好適に用いることが可能である。本発明の遮水シート及び遮水シートの施工方法を用いることにより、作業者の技量に左右されず、遮水性を充分に担保した遮水シートの施工を行うことが可能となる。
【図面の簡単な説明】
【図１】本発明の一の実施例に係る遮水シートの平面図である。
【図２】（Ａ）は、本発明の遮水シートが張設される対象物としての掘削穴及び当該掘削穴に張設されるべく予め折り曲げ加工された遮水シート折曲成型部の概略断面図、（Ｂ）は、掘削穴の平面図である。
【図３】（Ａ）は、足場の斜視図、（Ｂ）は、足場に遮水シート折曲成型部を配置した状態の斜視図である。
【図４】（Ａ）は、不透水性を有するシート原反ロールの概略斜視図、（Ｂ）は、該原反ロールから巻き出され適宜切断されて作製された帯状シートの概略平面図である。
【図５】帯状シートを接合して作製した、不透水性を有するシートの接合体の概略平面図である。
【図６】本発明の他の実施例に係る遮水シートの平面図である。
【符号の説明】
１，１’  遮水シート
２  掘削穴
３  原反ロール
４  帯状シート
５  不透水性を有するシートの接合体
１０  遮水シート折曲成型部
１１  外側四角指示線
１１’  外側四角指示線の一部
１２  内側四角指示線
１２’  内側四角指示線の一部
１３，１３’  対角折目線
１４，１４’  偏位折目線
１５，１５’  切り込み用線
１６  鍔状切片
１６ａ  鍔状切片形成部
１７  ハトメ
２１  足場
２２  縦杆部
２３  横杆部
Ａ  一の角部
【図１】
2005029422.tif 000003
【図２】
2005029422.tif 000004
【図３】
2005029422.tif 000005
【図４】
2005029422.tif 000006
【図５】
2005029422.tif 000007
【図６】
2005029422.tif 000008